【事件の表示】
　特願２００３−５２２４３７号「液状インシュリン用カートリッジ」拒絶査定不服審判事件〔平成１５年　３月　６日国際公開、ＷＯ０３／１７９１４、平成１７年　３月２４日国内公表、特表２００５−５０７６８２号〕について、次のとおり審決する。
【結　論】
　本件審判の請求は、成り立たない。
【理　由】
Ｉ．手続の経緯
　本願は、平成１４年８月２３日（パリ条約による優先権主張　２００１年８月３１日、デンマーク）を国際出願日とする出願であって、平成２１年２月２５日付けで明細書についての手続補正がなされたが、同年７月１５日付けで拒絶査定がなされ、これに対し、同年１２月１０日に拒絶査定不服審判の請求がなされるとともに、同日付けで明細書についての手続補正がなされたものである。
　
II．平成２１年１２月１０日付けの手続補正についての補正却下の決定
［補正却下の決定の結論］
　平成２１年１２月１０日付けの手続補正（以下、「本件補正」という。）を却下する。
　
［理由］
１．補正後の本願発明
　本件補正により、特許請求の範囲の請求項１は、次のように補正された。
「高精度インシュリン投与システム用のガラスカートリッジ（１）であって、
該カートリッジ（１）が、液状のインシュリンを収容する容器を形成する円筒壁（２）によって結ばれた遠端（１０）と近端（１１）を有し、遠端（１０）に、フランジ（３）に密着した可撓性の膜（４）によって閉塞されたフランジ（３）が設けてあり、近端（１１）が、該カートリッジ（１）内で移動させることができるピストン（９）によって閉塞され、
可撓性膜（４）とピストン（９）の前面（８）との間の可変の空間に液状インシュリンが収容され、
液状インシュリンがＵ２００インシュリンであることと、
円筒壁（２）の内径が７．４５ｍｍないし９．３１ｍｍの範囲内であり、
該カートリッジ（１）が、
±０．０５５ｍｍの誤差内でピストンを移動させることができる
　
２．補正の目的及び新規事項の追加の有無
　本件補正は、請求項１に記載した発明を特定するために必要な事項である「インシュリンポンプシステム」及び「インシュリン注射システム」に、「±０．０５５ｍｍの誤差内でピストンを移動させることができる」との限定を付加するものであり、かつ、補正後の請求項１に記載された発明は、補正前の請求項１に記載された発明と、産業上の利用分野及び解決しようとする課題が同一であるので、本件補正は、平成１８年法律第５５号改正附則第３条第１項によりなお従前の例によるとされる同法による改正前の特許法第１７条の２第４項第２号の特許請求の範囲の減縮を目的とするものに該当する。
　
　そして、本件補正は、新規事項を追加するものではない。
　
３．独立特許要件
　そこで、本件補正後の前記請求項１に記載された発明（以下、「本願補正発明」という。）が特許出願の際独立して特許を受けることができるものであるか（平成１８年法律第５５号改正附則第３条第１項によりなお従前の例によるとされる同法による改正前特許法第１７条の２第５項において準用する同法第１２６条第５項の規定に適合するか）について以下に検討する。
　
３−１．引用刊行物の記載事項
（刊行物１）
　原査定の拒絶の理由に引用された、本願優先日前に頒布された刊行物である特開平９−９９０３４号公報（以下、「刊行物１」という。）には、図面と共に次の事項が記載されている。
（ア）「【発明が解決しようとする課題】これらのカートリッジとペン装置から正確な投与量を確実に投与するためには、カートリッジは、懸濁液を入れようと溶液を入れようと、たとえ小さな気泡又は空気ポケットが初めに存在し、初回の投与量を投与する前に針を上方に向けて装置を保持し、次いでピストン操作機構を用いてどんな気体をもしぼりだすことにより除去されるとはいえ、カートリッジには気泡があってはならない。・・・」（段落【０００３】）
　
（イ）「【課題を解決するための手段】本発明は、上記のような容器内の薬懸濁液を適切にかつ迅速に再懸濁する問題と取り組もうとするが、更に、より迅速に又はより信頼できる混合を可能にする、すなわち、従来技術で開示されかつ使用された混合要素について必要とされるよりも少ない攪拌でかかる混合を可能にする容器を提供しようとする。このように、本発明によれば、例えば上記のタイプのような薬懸濁液の容器、即ち、容器内で操作できるピストンと、容器からの出口とを有し、固形混合要素を収容した薬懸濁液容器において、混合要素と容器の内面は、協働して混合要素が著しい横方向の移動をしないようにするが、軸線方向の移動を許すように形成され、混合要素は、例えば、容器を傾けたり反転をさせたりしたとき、混合要素が軸線方向に移動すると、混合要素のいずれか一方の側から他方の側まで懸濁液の流れを可能にするように形成される。・・・」（段落【０００５】）
　
（ウ）「【発明の実施の形態】図１から図５を参照すると、単一区画式カートリッジ又はアンプル１０の形態容器は、開放端付円筒状ガラスチューブ１１を有し、該ガラスチューブ１１は、一端に直径の小さい首１２を有し、そして他端が、例えばチューブ１１の内面に係合する３つの環状のリブ１４を有する合成ゴムのピストン１３によってシールされる。カートリッジ１０には、薬懸濁液、例えば、イソフェン  インシュリン（エヌピーエイチ）（ｉｓｏｐｈａｎｅ  ｉｎｓｕｌｉｎ（ＮＰＨ））のような水性のインシュリン結晶懸濁液が充填され、空気の泡がない。首１２は、開孔明きアルミニウムキャップ１６と合成ゴム薄膜又は隔膜１７によって閉塞される。カートリッジ１０が商業的に入手可能なペン状装置に装填され、皮下注射針が取付けられたとき、針は薄膜又は隔膜１７を突き通し、それによってカートリッジ１０の内部に入ってこれと連通する。混合要素２０が容器内に位置し、ピストン１３の内端２１と出口の首１２の内端の肩２２との間でチューブ１１内を軸線方向に移動できる。」（段落【００１０】）
　
（エ）「この具体例の混合要素２０は、焼結ガラス、特に、ドイツ　マインツのスコット　グラスワークによって商標“ＦＩＯＬＡＸ”のもとに供給される、タイプＩ（薬事上の仕様）ガラスで作られる。チューブ１１を（例えば、ペン状ハウジングに装填したとき）、その軸線が水平に対して４５°の角度となるように傾けるとき、混合要素２０は、重力で、かつ水性懸濁液より大きい密度により、チューブ１１内を移動し、混合要素はその移動中、３つの周囲部分３１によって構成された角度的に間隔を隔てた３つの位置でチューブ内面１５によって案内される。３．０cm3 の容積、６．５cmの全長を有する容器の一例では、内面１５は９．５mmの直径を有し、部分３１は９mmの直径上にあり、平面３２は５．８８mmの長さを有し、混合要素２０の軸線方向の長さは４mm、孔３４の直径は３mmである。上で与えられた寸法の変更並びに混合要素２０の構造の他の変更がもちろん可能である。・・・」（段落【００１２】）
　
（オ）上記（ウ）の「単一区画式カートリッジ又はアンプル１０の形態容器は、開放端付円筒状ガラスチューブ１１を有し」及び「カートリッジ１０には、・・・水性のインシュリン結晶懸濁液が充填され」との記載事項並びに第１図の図示内容からみて、円筒状ガラスチューブ１１は、インシュリン結晶懸濁液を収容する容器を形成するといえる。
　
（カ）上記（ウ）の「図１から図５を参照すると、単一区画式カートリッジ又はアンプル１０の形態容器は、開放端付円筒状ガラスチューブ１１を有し、該ガラスチューブ１１は、一端に直径の小さい首１２を有し、そして他端が、例えばチューブ１１の内面に係合する３つの環状のリブ１４を有する合成ゴムのピストン１３によってシールされる。」との記載事項、及び第１図の図示内容からみて、カートリッジ１０は、円筒状ガラスチューブ１１によって連結された一端と他端を有しているといえる。
　
（キ）上記（ウ）の「首１２は、開孔明きアルミニウムキャップ１６と合成ゴム薄膜又は隔膜１７によって閉塞される。」との記載事項並びに第１及び２図の図示内容からみて、円筒状ガラスチューブ１１の一端にはフランジが設けてあるといえ、また、該フランジが、該フランジに密着した合成ゴム薄膜又は隔膜１７によって閉塞されることは明らかである。
　
（ク）上記（イ）の「容器内で操作できるピストン」との記載事項及び第１図の図示内容からみて、カートリッジのピストン１３は、カートリッジ１０内で移動させることができるといえる。
　
（ケ）上記（ウ）の「首１２は、開孔明きアルミニウムキャップ１６と合成ゴム薄膜又は隔膜１７によって閉塞される。」及び「混合要素２０が容器内に位置し、ピストン１３の内端２１と出口の首１２の内端の肩２２との間でチューブ１１内を軸線方向に移動できる。」との記載事項並びに第１図の図示内容からみて、合成ゴム薄膜又は隔膜１７とピストン１３の内端２１との間の可変のカートリッジ１０の内部にインシュリン結晶懸濁液が収容されるといえる。
　
　これら記載事項及び図示内容を総合し、本願補正発明の記載ぶりに則って整理すると、刊行物１には、次の発明（以下、「引用発明」という。）が記載されている。
「ペン状装置に装填される円筒状ガラスチューブ１１を有するカートリッジ１０であって、
該カートリッジ１０が、インシュリン結晶懸濁液を収容する容器を形成する円筒状ガラスチューブ１１によって連結された一端と他端を有し、一端に、フランジに密着した合成ゴム薄膜又は隔膜１７によって閉塞されたフランジが設けてあり、他端が、該カートリッジ１０内で移動させることができるピストン１３によってシールされ、
合成ゴム薄膜又は隔膜１７とピストン１３の内端２１との間の可変のカートリッジ１０の内部にインシュリン結晶懸濁液が収容され、
円筒状ガラスチューブ１１の内面１５の直径が９．５mmであり、
カートリッジ１０が、ペン状装置に装填され、皮下注射針が取付けられて使用することができるペン状装置に装填される円筒状ガラスチューブ１１を有するカートリッジ１０。」
　
（刊行物２）
　原査定の拒絶の理由に引用された、本願優先日前に頒布された刊行物である特開昭６３−１７９８３１号公報（以下、「刊行物２」という。）には、次の事項が図面とともに記載されている。
（コ）「２．特許請求の範囲
１．１ｍｌ当たり少なくとも２０インシュリン単位を含有する非経に投与用のインシュリン製剤であって、該製剤がインシュリン又はその誘導体並びにマグネシウム含量で約０．００５モル〜０．５モルの濃度のマグネシウムイオンから構成され、該製剤がｐＨ約３〜８．５、好ましくは８未満を有し、所望により持続性のインシュリン沈殿物又はインシュリン誘導体沈殿物を含有することを特徴とする、インシュリン製剤。
（・・・中略・・・）
５．１ｍｌ当り約５００未満のインシュリン単位、好ましくは１ｍｌ当り約３０〜２００インシュリン単位、最も好ましくは１ｍｌ当り約４０〜１００インシュリン単位の活性を有する、特許請求の範囲第１項記載の製剤。」（第１頁左下欄第４行〜右下欄第７行）
　
（サ）「ｐＨ３〜６．２を有する本発明のインシュリン溶液は又、ポンプによる注入の目的に対し特に有用である。」（第３頁右下欄第１８〜２０行）
　
（シ）「本発明の溶液は、特に多数回注入のインシュリン治療に対して用いられる液体貯蔵容器のような装置において特に良好に適用できるものと考えられる。」（第４頁左上欄第２０行〜右上欄第３行）
　
（ス）「本発明の溶液中のインシュリン含量は、注入用製剤において、１ｍｌ当り約２０〜５００ＩＵ、好ましくは４０〜１００ＩＵの範囲内にある。」（第５頁左上欄第４〜６行）
　
　これら記載事項を総合すると、刊行物２には次の発明が記載されている。
「１ｍｌ当たり約２０〜５００ＩＵの範囲内にあるインシュリン製剤であって、数回注入のインシュリン治療に対して用いられ、ポンプによる注入の目的に用いる、投与用のインシュリン製剤。」
　
（刊行物３）
　原査定の拒絶の理由に引用された、本願優先日前に頒布された刊行物である国際公開第９９／４４７５４号（以下、「刊行物３」という。）には、次の事項が図面とともに記載されている。（なお、括弧内の和文は、記載部分の仮訳として、対応する公表公報である特表２００３−５０４４２３号公報を援用したものである。）
(セ）「Today large amounts of insulin are sold in dispensing devices. The insulin is filled in glass containers, which are equipped with rubber stoppers, and these containers are then loaded into dispensing devices.」（第１頁第２８〜３０行）
（今日、大量のインシュリンは、投与デバイス中で販売される。インシュリンは、ゴム栓を備えたガラス容器に充填され、これらの容器は次いで投与デバイス内に装填される。）
　
（ソ）「The article coated according to the present invention is preferably a medical article, such as a drug delivery article, in particular a container as depicted in Fig. 1 for storing and administrating (injecting) a liquid medicament, such as a liquid protein solution.
 In Fig 1A an injection cylinder 1  is depicted comprising the cylinder wall 2 and a coating 3 on the inner surface of the cylinder wall 2.
 In Fig. 1B the stopper 4 is depicted with a rubber end 5 to be inserted in the injection cylinder 1. The diameter of the stopper along line A-A is sligtly greater than the inner diameter of the injection cylinder to obtain a sufficient liquid tight sliding engagement.
 The first component of the coated article is preferably a container, such as a cartridge or injection cylinder made of a material selected from glass, ceramic, metal and preferably plastic.」（第７頁第２９行〜第８頁第９行）
（本発明に従ってコートされた物品は、好ましくは特ドラッグデリバリー物品等の医学的物品、特に図１に示される液体タンパク質溶液等の液体薬剤を貯蔵および投与（注射）するための容器である。
　図１Ａに、シリンダー壁２と、シリンダー壁２の内面上のコーティング３とを含む注入シリンダー１が示される。
　図１Ｂ中で、栓４は、注入シリンダー１内に挿入されるべきゴム端５とともに描かれる。ラインＡ−Ａに沿った栓の直径は、充分な液体タイトな滑りかみ合わせを得るために、注入シリンダーの内直径より僅かに大きい。
　コートされた物品の第１の構成要素は、好ましくは、ガラス、セラミック、金属、および好ましくはプラスチックから選ばれた材料から構成されるカートリッジまたは注入シリンダー等の容器である。）
　
（チ）「The present invention is further discussed below in Examples.
EXAMPLES
 Materials. Polypropylene (PP) or cycloolefin copolymer (COC) containers, depicted in Figure 1, with a volume of 3.5 ml, and an internal diameter of 9.23 mm was used in the evaluation of the different coatings unless stated otherwise.」（第１０頁第１８〜２４行）
（本発明は、以下の例において更に議論される。
例
　
　これら記載事項を総合すると、刊行物３には次の発明が記載されている。
「液体薬剤であるインシュリンを充填し、投与デバイス内に装填されるカートリッジであって、容積３．５ｍｌ、内径９．２３ｍｍの注入シリンダーを有するカートリッジ。」
　
３−２．対比
　本願補正発明と引用発明とを対比すると、各文言の意味、機能または作用等からみて、引用発明における「ペン状装置」は本願補正発明の「インシュリン投与システム」及び「インシュリン注射システム」に相当し、以下同様に、
「ペン状装置に装填される」は「インシュリン投与システム用の」に、
「円筒状ガラスチューブ１１を有するカートリッジ１０」及び「カートリッジ１０」は「ガラスカートリッジ（１）」及び「カートリッジ（１）」に、
「インシュリン結晶懸濁液」は「液状のインシュリン」及び「液状インシュリン」に、
「円筒状ガラスチューブ１１」は「円筒壁（２）」に、
「連結された」は「結ばれた」に、
「一端」は「遠端（１０）」に、
「他端」は「近端（１１）」に、
「フランジ」は「フランジ（３）」に、
「合成ゴム薄膜又は隔膜１７」は「可撓性の膜（４）」及び「可撓性膜（４）」に、
「ピストン１３」は「ピストン（９）」に、
「シール」は「閉塞」に、
「内端２１」は「前面（８）」に、
「カートリッジ１０の内部」は「空間」に、
「ペン状装置に装填され、皮下注射針が取付けられて使用する」は、「インシュリン注射システムに」「使用する」に相当する。
　引用発明の「円筒状ガラスチューブ１１の内面１５の直径が９．５mmであり」と、本願補正発明の「円筒壁（２）の内径が７．４５ｍｍないし９．３１ｍｍの範囲内であり」とは、「円筒壁の内径が所定の値であり」という概念で共通している。
　引用発明の「インシュリン結晶懸濁液」が、所定の濃度のものであることは明らかであることから、引用発明と本願補正発明は、「液状インシュリンが所定の濃度である」という概念で共通する。
　
　そこで、本願補正発明の用語を用いて表現すると、両者は次の点で一致する。
（一致点）
「インシュリン投与システム用のガラスカートリッジであって、
該カートリッジが、液状のインシュリンを収容する容器を形成する円筒壁によって結ばれた遠端と近端を有し、遠端に、フランジに密着した可撓性の膜によって閉塞されたフランジが設けてあり、近端が、該カートリッジ内で移動させることができるピストンによって閉塞され、
可撓性膜とピストンの前面との間の可変の空間に液状インシュリンが収容され、
液状インシュリンが所定の濃度であり、
円筒壁の内径が所定の値であり、
該カートリッジが、インシュリン注射システムに使用することができるインシュリン投与システム用のガラスカートリッジ。」
　
　そして、両者は次の相違点１〜３で相違する。
（相違点１）
　液状インシュリンの濃度について、本願補正発明では、Ｕ２００であるのに対して、引用発明では、具体的数値が不明である点。
　
（相違点２）
　円筒壁の内径について、本願補正発明では、７．４５ｍｍないし９．３１ｍｍの範囲内であるのに対して、引用発明では、９．５ｍｍである点。
　
（相違点３）
　本願補正発明では、カートリッジが、高精度インシュリン投与システム用のものであり、±０．０５５ｍｍの誤差内でピストンを移動させることができるインシュリンポンプシステムにも、インシュリン注射システムにも使用することができるのに対して、引用発明では、カートリッジ１０が、インシュリン投与システム用のものであって、インシュリン注射システムに使用することができるものの、インシュリン投与システムが高精度のものか否か不明であり、カートリッジが、±０．０５５ｍｍの誤差内でピストンを移動させるインシュリンポンプシステムにも、インシュリン注射システムにも使用することができるかどうかが不明である点。
　
３−３．相違点の判断
　上記相違点について検討する。
（相違点１について）
　刊行物２に記載された発明は、「１ｍｌ当たり約２０〜５００ＩＵの範囲内にあるインシュリン製剤であって、数回注入のインシュリン治療に対して用いられ、ポンプによる注入の目的に用いる、投与用のインシュリン製剤。」というものであって、「１ｍｌ当たり約２０〜５００ＩＵの範囲内にあるインシュリン製剤」は、Ｕ２０〜５００インシュリンの範囲内にある液状インシュリンといえるものである。
　そして、引用発明の「インシュリン結晶懸濁液」と刊行物２に記載された発明の「インシュリン製剤」は、いずれも投与のための液状インシュリンである点で共通するから、引用発明に刊行物２に記載された発明を適用し、液状インシュリン（インシュリン結晶懸濁液）の濃度をＵ２０〜５００の範囲内とすることは、当業者が容易に想到し得たことであり、また、本願補正発明の「Ｕ２００」という数値限定について、明細書の記載を参酌しても臨界的意義を見出すことができないことを考慮すれば、Ｕ２０〜５００の範囲から、Ｕ２００を選択することは、当業者が適宜なし得た設計的事項である。
　
（相違点２について）
　刊行物３に記載された発明は、「液体薬剤であるインシュリンを充填し、投与デバイス内に装填されるカートリッジであって、容積３．５ｍｌ、内径９．２３ｍｍの注入シリンダーを有するカートリッジ。」というものであって、「液体薬剤であるインシュリン」は液状のインシュリン、「注入シリンダー」は円筒壁といえるものである。
　そして、引用発明の「カートリッジ１０」と刊行物３に記載された発明の「カートリッジ」は、いずれもインシュリンを投与するための装置に装填されるカートリッジである点で共通するから、引用発明に刊行物３に記載された発明を適用し、円筒壁（円筒状ガラスチューブ１１）の内径（内面１５の直径）を、７．４５ｍｍないし９．３１ｍｍの範囲内である９．２３ｍｍとすることは、当業者が容易に想到し得たことである。
　
（相違点３について）
　刊行物１には、「これらのカートリッジとペン装置から正確な投与量を確実に投与する」と記載されていることから（上記３−１．（ア）参照）、引用発明においても、カートリッジを、ピストン（ピストン１３）の位置を高精度に制御することができる高精度インシュリン投与システム用のものとする必要があることは明らかである。
　また、ピストンを備え、液状インシュリンを収容したカートリッジを、インシュリンポンプシステムに使用することは、例示するまでもなく周知技術である。
　以上からみて、引用発明のカートリッジを、高精度インシュリン投与システム用ものとし、ピストン（ピストン１３）の位置を高精度に制御することができるインシュリンポンプシステムにも、インシュリン注射システムにも使用することができるようにすることは、当業者が容易に想到し得たことである。
　
　ここで、上記「相違点１について」及び「相違点２について」で検討したとおり、引用発明のカートリッジにおいて、カートリッジに収容するインシュリンとしてＵ２００のものを選択すること、及び、円筒壁の内径として９．２３ｍｍを設定することは、当業者が容易に想到し得たことである。
　そして、引用発明のカートリッジにおいて、カートリッジに収容する液状インシュリンとしてＵ２００のものを選択し、円筒壁の内径として９．２３ｍｍを設定した場合、±０．０５５ｍｍの誤差内でピストンを移動させれば、患者に投与するインシュリンの量を、ＩＳＯ１１６０８−１規格を満たすように正確に制御することができることは計算上明らかである。
　そうすると、引用発明に刊行物２に記載された発明、刊行物３に記載された発明及び周知技術を適用したものにおいて、患者に投与するインシュリンの量を、ＩＳＯ１１６０８−１規格を満たすように正確に制御するために、±０．０５５ｍｍの誤差内でピストンを移動させることができるインシュリンポンプシステムにも、インシュリン注射システムにも使用することができるようにすることは、当業者が適宜なしうる程度のことに過ぎない。
　
　そして、本願補正発明による効果も、引用発明、刊行物２に記載された発明、刊行物３に記載された発明及び周知技術から当業者が予測し得た程度のものであって、格別のものとはいえない。
　
　したがって、本願補正発明は、引用発明、刊行物２に記載された発明、刊行物３に記載された発明及び周知技術に基いて、当業者が容易に発明をすることができたものであるので、特許法第２９条第２項の規定により、特許出願の際独立して特許を受けることができない。
　
３−４．むすび
　したがって、本件補正は、平成１８年法律第５５号改正附則第３条第１項によりなお従前の例によるとされる同法による改正前特許法第１７条の２第５項において準用する同法第１２６条第５項の規定に違反するので、同法第１５９条第１項において読み替えて準用する同法第５３条第１項の規定により却下すべきものである。
　
III.本願発明
　本件補正は、上記のとおり却下されたので、本願の請求項１に係る発明（以下、「本願発明」という。）は、平成２１年２月２５日付けの手続補正書により補正された明細書の、特許請求の範囲の請求項１に記載された事項により特定される、以下のとおりのものである。
「高精度インシュリン投与システム用のガラスカートリッジ（１）であって、
該カートリッジ（１）が、液状のインシュリンを収容する容器を形成する円筒壁（２）によって結ばれた遠端（１０）と近端（１１）を有し、遠端（１０）に、フランジ（３）に密着した可撓性の膜（４）によって閉塞されたフランジ（３）が設けてあり、近端（１１）が、該カートリッジ（１）内で移動させることができるピストン（９）によって閉塞され、可撓性膜（４）とピストン（９）の前面（８）との間の可変の空間に液状インシュリンが収容され、
液状インシュリンがＵ２００インシュリンであることと、
円筒壁（２）の内径が７．４５ｍｍないし９．３１ｍｍの範囲内であり、
該カートリッジ（１）が、インシュリンポンプシステムにも、インシュリン注射システムにも使用することができることを特徴とする高精度インシュリン投与システム用のガラスカートリッジ。」
　
IV.引用例の記載事項
　原査定の拒絶の理由に引用された刊行物１〜３、及び、その記載事項は、前記II.３−１に記載したとおりである。
　
Ｖ．対比・判断
　本願発明は、前記II.１の本願補正発明から、「インシュリンポンプシステム」及び「インシュリン注射システム」の限定事項である「±０．０５５ｍｍの誤差内でピストンを移動させることができる」との構成を省いたものである。
　そうすると、本願発明の発明特定事項をすべて含み、さらに、他の発明特定事項を付加したものに相当する本願補正発明が、前記II.３−３に記載したとおり、引用発明、刊行物２に記載された発明、刊行物３に記載された発明及び周知技術に基いて、当業者が容易に発明をすることができたものであるから、本願発明も、同様に、引用発明、刊行物２に記載された発明、刊行物３に記載された発明及び周知技術に基いて、当業者が容易に発明をすることができたものである。
　
VI.むすび
　以上のとおり、本願発明は、引用発明、刊行物２に記載された発明、刊行物３に記載された発明及び周知技術に基いて、当業者が容易に発明をすることができたものであるから、特許法第２９条第２項の規定により、特許を受けることができない。
　よって、結論のとおり審決する。